(57)【特許請求の範囲】
【請求項１】
各種コンテンツの提供元から利用者に提供されるコンテンツの利用制御を行うためのコンテンツ利用制御装置において、
固有の利用条件を含むライセンス情報を保持する部分コンテンツを入力する入力インタフェイスと、外部記録媒体を接続する出力インタフェイスと、コンテンツの利用制御を行うためのコンテンツ利用制御プログラムを記録した記録手段と、該記録手段からコンテンツ利用制御プログラムを読み出して実行する制御部とを有し、
前記制御部は、前記コンテンツ利用制御プログラムを実行することにより、前記入力インタフェイスを介して入力された複数の部分コンテンツを集めて１つの集合コンテンツを構成し、該集合コンテンツを構成する部分コンテンツにそれぞれのライセンス情報を割り当て、該割り当てた各ライセンス情報を一括して単一のライセンス情報を生成するライセンス生成手段を有し、
前記ライセンス生成手段は、前記集合コンテンツに含まれる部分コンテンツに対して、固有のコンテンツＩＤを付与すると共に、前記集合コンテンツに含まれる部分コンテンツの各ライセンス情報に対して、前記コンテンツＩＤと関連付けされた固有のライセンスＩＤを付与し、
前記制御部は、前記コンテンツ利用制御プログラムを実行することにより、前記ライセンス生成手段によって生成されたライセンス情報とその集合コンテンツの両方あるいはいずれか一方を、前記記録手段もしくは前記出力インタフェイスを介して外部記録媒体に出力する出力制御手段と、前記記録手段もしくは前記外部記録媒体に記録された集合コンテンツに含まれる部分コンテンツを復号して再生するコンテンツ再生手段と、該再生した部分コンテンツの利用をそのライセンス情報に含まれる利用条件に従って制御する利用制御手段とを有することを特徴とするコンテンツ利用制御装置。
【請求項２】
各種コンテンツの提供元から利用者に提供されるコンテンツの利用制御を行うためのコンテンツ利用制御装置において、
固有の利用条件を含むライセンス情報を保持する部分コンテンツを入力する入力インタフェイスと、外部記録媒体を接続する出力インタフェイスと、コンテンツの利用制御を行うためのコンテンツ利用制御プログラムを記録した記録手段と、該記録手段からコンテンツ利用制御プログラムを読み出して実行する制御部とを有し、
前記制御部は、前記コンテンツ利用制御プログラムを実行することにより、前記入力インタフェイスを介して入力された複数の部分コンテンツを集めて１つの集合コンテンツを構成し、該集合コンテンツを構成する部分コンテンツにそれぞれのライセンス情報を割り当て、該割り当てた各ライセンス情報を一括して単一のライセンス情報を生成するライセンス生成手段を有し、
前記ライセンス生成手段は、前記集合コンテンツに含まれる部分コンテンツに対して、固有のコンテンツＩＤを付与すると共に、前記集合コンテンツに含まれる部分コンテンツの各ライセンス情報に対して、前記コンテンツＩＤと関連付けされた固有のライセンスＩＤを付与し、
前記制御部は、前記コンテンツ利用制御プログラムを実行することにより、前記ライセンス生成手段によって生成されたライセンス情報とその集合コンテンツとを、前記記録手段もしくは前記出力インタフェイスを介して外部記録媒体の異なる記録領域に出力する出力制御手段と、前記記録手段もしくは前記外部記録媒体に記録された集合コンテンツに含まれる部分コンテンツを復号して再生するコンテンツ再生手段と、該再生した部分コンテンツの利用をそのライセンス情報に含まれる利用条件に従って制御する利用制御手段とを有することを特徴とするコンテンツ利用制御装置。
【請求項３】
請求項１又は２に記載のコンテンツ利用制御装置において、前記ライセンス生成手段は、複数の部分コンテンツから構成される第１の集合コンテンツを部分コンテンツとし、その第１の集合コンテンツからなる部分コンテンツを複数集めて第２の集合コンテンツを構成し、該第２の集合コンテンツを構成する第１の集合コンテンツにそれぞれのライセンス情報を割り当て、該割り当てた各ライセンス情報を一括して単一のライセンス情報を生成することを特徴とするコンテンツ利用制御装置。
【請求項４】
請求項１又は２に記載のコンテンツ利用制御装置において、前記入力インタフェイスは、部分コンテンツが記録された記録媒体，部分コンテンツを提供可能なサーバ装置を有するネットワーク，部分コンテンツを配信可能なデジタル放送網のいずれか又は複数の提供元と接続することを特徴とするコンテンツ利用制御装置。
【請求項５】
請求項１乃至４のいずれか１に記載のコンテンツ利用制御装置において、前記集合コンテンツは映像データ及び／又は音声データから構成され、前記集合コンテンツを構成する部分コンテンツは前記映像データ及び／又は音声データを時間軸上で区切ったものであることを特徴とするコンテンツ利用制御装置。
【請求項６】
請求項１乃至４のいずれか１に記載のコンテンツ利用制御装置において、前記集合コンテンツは、映像データ，音声データ，データ放送のデータのいずれか又は複数から構成された部分コンテンツを多重化したものであることを特徴とするコンテンツ利用制御装置。
【請求項７】
請求項５又は６に記載のコンテンツ利用制御装置において、前記部分コンテンツは、ＭＰＥＧ２のＥＳ（Ｅｌｅｍｅｎｔａｒｙ  Ｓｔｒｅａｍ）であることを特徴とするコンテンツ利用制御装置。
【請求項８】
請求項５又は６に記載のコンテンツ利用制御装置において、前記部分コンテンツは、ＢＳ放送，ＣＳ放送，地上波デジタル放送のいずれか又は複数のストリームであることを特徴とするコンテンツ利用制御装置。
【請求項９】
請求項８に記載のコンテンツ利用制御装置において、前記部分コンテンツは、１つのコンポーネントグループに属するＥＳ群であることを特徴とするコンテンツ利用制御装置。
【請求項１０】
請求項１乃至９のいずれか１に記載のコンテンツ利用制御装置において、前記ライセンス情報に含まれる利用条件は、部分コンテンツのコピーを制限するためのコピー制限情報，部分コンテンツの視聴を年齢に応じて制限するための年齢視聴制限情報，部分コンテンツの利用回数を制限するための利用回数制限情報，部分コンテンツの利用期限を制限するための利用期限情報のいずれか又は複数から構成されていることを特徴とするコンテンツ利用制御装置。
【請求項１１】
請求項１乃至４のいずれか１に記載のコンテンツ利用制御装置において、前記集合コンテンツは、画像データ及び／又は文書データから構成される部分コンテンツを合成したものであることを特徴とするコンテンツ利用制御装置。
【請求項１２】
請求項１１に記載のコンテンツ利用制御装置において、前記ライセンス情報に含まれる利用条件は、部分コンテンツのコピーを制限するためのコピー制限情報，部分コンテンツの印刷を制限するための印刷制限情報，部分コンテンツの利用期限を制限するための利用期限情報，部分コンテンツの解像度変換を制限するための解像度制限情報，部分コンテンツの色数を制限するための色数制限情報のいずれか又は複数から構成されていることを特徴とするコンテンツ利用制御装置。
【請求項１３】
各種コンテンツの提供元から利用者に提供されるコンテンツの利用制御を行うためのコンテンツ利用制御装置のコンテンツ利用制御方法において、
前記コンテンツ利用制御装置は、固有の利用条件を含むライセンス情報を保持する部分コンテンツを入力する入力インタフェイスと、外部記録媒体を接続する出力インタフェイスと、コンテンツの利用制御を行うためのコンテンツ利用制御プログラムを記録した記録手段と、該記録手段からコンテンツ利用制御プログラムを読み出して実行する制御部とを有し、
前記制御部が、前記コンテンツ利用制御プログラムを実行することにより、前記入力インタフェイスを介して入力された複数の部分コンテンツを集めて１つの集合コンテンツを構成し、該集合コンテンツを構成する部分コンテンツにそれぞれのライセンス情報を割り当て、該割り当てた各ライセンス情報を一括して単一のライセンス情報を生成するステップと、前記集合コンテンツに含まれる部分コンテンツに対して、固有のコンテンツＩＤを付与すると共に、前記集合コンテンツに含まれる部分コンテンツの各ライセンス情報に対して、前記コンテンツＩＤと関連付けされた固有のライセンスＩＤを付与するステップと、前記生成されたライセンス情報とその集合コンテンツの両方あるいはいずれか一方を、前記記録手段もしくは前記出力インタフェイスを介して外部記録媒体に出力するステップと、前記記録手段もしくは前記外部記録媒体に記録された集合コンテンツに含まれる部分コンテンツを復号して再生するステップと、該再生した部分コンテンツの利用をそのライセンス情報に含まれる利用条件に従って制御するステップとを有することを特徴とするコンテンツ利用制御方法。
【請求項１４】
各種コンテンツの提供元から利用者に提供されるコンテンツの利用制御を行うためのコンテンツ利用制御装置のコンテンツ利用制御方法において、
前記コンテンツ利用制御装置は、固有の利用条件を含むライセンス情報を保持する部分コンテンツを入力する入力インタフェイスと、外部記録媒体を接続する出力インタフェイスと、コンテンツの利用制御を行うためのコンテンツ利用制御プログラムを記録した記録手段と、該記録手段からコンテンツ利用制御プログラムを読み出して実行する制御部とを有し、
前記制御部が、前記コンテンツ利用制御プログラムを実行することにより、前記入力インタフェイスを介して入力された複数の部分コンテンツを集めて１つの集合コンテンツを構成し、該集合コンテンツを構成する部分コンテンツにそれぞれのライセンス情報を割り当て、該割り当てた各ライセンス情報を一括して単一のライセンス情報を生成するステップと、前記集合コンテンツに含まれる部分コンテンツに対して、固有のコンテンツＩＤを付与すると共に、前記集合コンテンツに含まれる部分コンテンツの各ライセンス情報に対して、前記コンテンツＩＤと関連付けされた固有のライセンスＩＤを付与するステップと、前記生成されたライセンス情報とその集合コンテンツとを、前記記録手段もしくは前記出力インタフェイスを介して外部記録媒体の異なる記録領域に出力するステップと、前記記録手段もしくは前記外部記録媒体に記録された集合コンテンツに含まれる部分コンテンツを復号して再生するステップと、該再生した部分コンテンツの利用をそのライセンス情報に含まれる利用条件に従って制御するステップとを有することを特徴とするコンテンツ利用制御方法。
【請求項１５】
請求項１３又は１４に記載のコンテンツ利用制御方法において、前記制御部が、前記コンテンツ利用制御プログラムを実行することにより、複数の部分コンテンツから構成される第１の集合コンテンツを部分コンテンツとし、その第１の集合コンテンツからなる部分コンテンツを複数集めて第２の集合コンテンツを構成し、該第２の集合コンテンツを構成する第１の集合コンテンツにそれぞれのライセンス情報を割り当て、該割り当てた各ライセンス情報を一括して単一のライセンス情報を生成するステップを有することを特徴とするコンテンツ利用制御方法。
【請求項１６】
請求項１３又は１４に記載のコンテンツ利用制御方法において、前記入力インタフェイスは、部分コンテンツが記録された記録媒体，部分コンテンツを提供可能なサーバ装置を有するネットワーク，部分コンテンツを配信可能なデジタル放送網のいずれか又は複数の提供元と接続することを特徴とするコンテンツ利用制御方法。
【請求項１７】
請求項１３乃至１６のいずれか１に記載のコンテンツ利用制御方法において、前記集合コンテンツは映像データ及び／又は音声データから構成され、前記集合コンテンツを構成する部分コンテンツは前記映像データ及び／又は音声データを時間軸上で区切ったものであることを特徴とするコンテンツ利用制御方法。
【請求項１８】
請求項１３乃至１６のいずれか１に記載のコンテンツ利用制御方法において、前記集合コンテンツは、映像データ，音声データ，データ放送のデータのいずれか又は複数から構成された部分コンテンツを多重化したものであることを特徴とするコンテンツ利用制御方法。
【請求項１９】
請求項１７又は１８に記載のコンテンツ利用制御方法において、前記部分コンテンツは、ＭＰＥＧ２のＥＳ（Ｅｌｅｍｅｎｔａｒｙ  Ｓｔｒｅａｍ）であることを特徴とするコンテンツ利用制御方法。
【請求項２０】
請求項１７又は１８に記載のコンテンツ利用制御方法において、前記部分コンテンツは、ＢＳ放送，ＣＳ放送，地上波デジタル放送のいずれか又は複数のストリームであることを特徴とするコンテンツ利用制御方法。
【請求項２１】
請求項２０に記載のコンテンツ利用制御方法において、前記部分コンテンツは、１つのコンポーネントグループに属するＥＳ群であることを特徴とするコンテンツ利用制御方法。
【請求項２２】
請求項１３乃至２１のいずれか１に記載のコンテンツ利用制御方法において、前記ライセンス情報に含まれる利用条件は、部分コンテンツのコピーを制限するためのコピー制限情報，部分コンテンツの視聴を年齢に応じて制限するための年齢視聴制限情報，部分コンテンツの利用回数を制限するための利用回数制限情報，部分コンテンツの利用期限を制限するための利用期限情報のいずれか又は複数から構成されていることを特徴とするコンテンツ利用制御方法。
【請求項２３】
請求項１３乃至１６のいずれか１に記載のコンテンツ利用制御方法において、前記集合コンテンツは、画像データ及び／又は文書データから構成される部分コンテンツを合成したものであることを特徴とするコンテンツ利用制御方法。
【請求項２４】
請求項２３に記載のコンテンツ利用制御方法において、前記ライセンス情報に含まれる利用条件は、部分コンテンツのコピーを制限するためのコピー制限情報，部分コンテンツの印刷を制限するための印刷制限情報，部分コンテンツの利用期限を制限するための利用期限情報，部分コンテンツの解像度変換を制限するための解像度制限情報，部分コンテンツの色数を制限するための色数制限情報のいずれか又は複数から構成されていることを特徴とするコンテンツ利用制御方法。
【発明の詳細な説明】
【技術分野】
【０００１】
本発明は、コンテンツ利用制御装置及びコンテンツ利用制御方法、より詳細には、各種コンテンツの利用を制御するためのコンテンツ利用制御装置及びコンテンツの利用制御方法に関する。
【０００２】
近年、インターネットを始めとするネットワークの急速な発展の下で、ネットワークやデジタル放送網等を介して、音楽、画像、映像、ソフトウェア（アプリケーションプログラム）等の各種コンテンツ（以下、コンテンツで代表する）が流通するようになってきている。
【０００３】
それらの中には、コンテンツの不正利用を避けるために、コンテンツの暗号化などにより単体では利用できなくしたものがある。正当な権利を持っている利用者はライセンスを保持し、ライセンスに含まれる情報を元にコンテンツを復号し、ライセンスに含まれる利用条件に沿って、コンテンツが利用可能となる。
【０００４】
コンテンツの利用制御に関し、例えば、特許文献１ではコンテンツ利用制御装置が開示されている。これは、情報提供権限者から利用者に提供されるコンテンツの利用制御を行うコンテンツ利用制御装置に、利用手段自身を構成する物理要素に関する識別情報が付与された利用手段と、該利用手段に付与された識別情報及び前記コンテンツの利用に関する許諾情報に基づいて前記コンテンツの利用を制御する利用制御手段とを備え、記録メディアには、前記コンテンツに関連付けられた前記許諾情報が記録されている。前記利用制御手段は、前記記録メディアから取得した許諾情報と識別情報とに基づいて、コンテンツの利用を制御する。ここで、利用が許諾された場合には、前記利用手段は、前記記録メディアからコンテンツを取得した後、これを利用する。
【０００５】
以下、上記特許文献１に開示されている、従来のコンテンツとライセンスの関係について、図２６に基づいて説明する。
図２６は、従来のコンテンツと許諾情報（ライセンス情報）との関係について説明するための図である。コンテンツ１０１と許諾情報（以下、ライセンスという）１０２は、図２６に示したように、関連付けられた状態でＭＯ媒体に格納されている。ＭＯ媒体において、コンテンツ１０１は、コンテンツ（１／３）１０１１、コンテンツ（２／３）１０１２、コンテンツ（３／３）１０１３という具合に三分割されている。これらのコンテンツ（１／３）１０１１、コンテンツ（２／３）１０１２、コンテンツ（３／３）１０１３は、ＬＢＮ（Ｌｏｇｉｃａｌ  Ｂｌｏｃｋ  Ｎｕｍｂｅｒ：論理ブロック番号）＝Ｌ、ＬＢＮ＝Ｍ及びＬＢＮ＝Ｎでそれぞれ指定された領域に格納されている。
【０００６】
同様にして、ＭＯ媒体において、ライセンス１０２は、ライセンス（１／２）１０２１、ライセンス（２／２）１０２２という具合に二分割されている。これらのライセンス（１／２）１０２１、ライセンス（２／２）１０２２は、ＬＢＮ＝Ｘ、ＬＢＮ＝Ｙでそれぞれ指定された領域に格納されている。また、コンテンツ１０１とライセンス１０２とは、ファイル管理データＤＡ１及び補助ファイル管理データＤＡ２を介して関連付けられている。ファイル管理データＤＡ１は、ファイル本体としてのコンテンツ１０１及び補助ファイルとしてのライセンス１０２を管理するためのデータである。このファイル管理データＤＡ１は、「ファイル名」、「作成日時」、・・・、「補助ファイル管理データへのリンク」、「ファイル本体へのリンク（１／３）」、「ファイル本体へのリンク（２／３）」、及び「ファイル本体へのリンク（３／３）」という情報から構成されている。一方、補助ファイル管理データＤＡ２は、ライセンス１０２を直接、管理するためのデータであり、「補助ファイル名」、「作成日時」、・・・、「ライセンスへのリンク（１／２）」、「ライセンスへのリンク（２／２）」という情報から構成されている。
【０００７】
また、ＢＳデジタル放送、ＣＳデジタル放送、地上波デジタル放送等のデジタル放送では、ＭＰＥＧ２のＥＳ（Ｅｌｅｍｅｎｔａｒｙ  Ｓｔｒｅａｍ）を多重化したＴＳ（Ｔｒａｎｓｐｏｒｔ  Ｓｔｒｅａｍ）を送信しており、各ＥＳの利用条件（コピー制御情報など）はストリームの中に記録されている。そのため、デジタル放送を記録したストリームの利用条件は、ストリームを再生しないとわからなかった。この点を解決するために、特許文献２では、ストリームから抽出したコピーライト情報を、元のストリームと関連付けし、再生しなくても読み出せるように記録する。元のストリームを利用する場合には、記録されているコピーライト情報を参照して、これに応じた制御を行う。
【特許文献１】
特開２００１−０９２７２１号公報
【特許文献２】
特開平１０−２１０４１１号公報
【００１２】
しかしながら、上記特許文献１では、コンテンツ全体に対して、同一の利用条件しか設定することができず、コンテンツを構成する部分それぞれに対して異なる利用条件を設定することができなかった。また、上記特許文献２では、デジタル放送のストリームから抽出したコピーライト情報の記録を行っているが、ストリームを構成する各ＥＳ、またはいくつかのＥＳをグループにしたコンポーネントグループに対して、異なる利用条件を設定することができなかった。
【００１３】
而して、上記特許文献１，２のいずれの場合も、それぞれに利用条件の異なるコンテンツを編集して新規のコンテンツを作り上げる場合、その新規コンテンツを構成する各部分に対して、それぞれに対応する元の利用条件を割り当てることができなかった。そのため、最も厳しい利用条件を上記各部分全てに割り当てるなどの処理を実施するしかなかった。
【００２２】
本発明は、上述したごとくの課題を解決するためになされたものであり、各種コンテンツの提供元から利用者に提供されるコンテンツの利用制御を行うためのコンテンツ利用制御装置において、固有の利用条件を含むライセンス情報を保持する部分コンテンツを複数集めて構成した集合コンテンツに対して、その集合コンテンツを構成する部分コンテンツにそれぞれのライセンス情報を割り当て、割り当てた各ライセンス情報を一括して単一のライセンス情報を生成し、
さらに、上記生成したライセンス情報とそのライセンス情報に応じた集合コンテンツの両方あるいはいずれか一方を記録媒体に記録し、記録媒体に記録された集合コンテンツに含まれる部分コンテンツをそのライセンス情報に従って再生することを目的とする。
【００２４】
第１の技術手段は、各種コンテンツの提供元から利用者に提供されるコンテンツの利用制御を行うためのコンテンツ利用制御装置において、固有の利用条件を含むライセンス情報を保持する部分コンテンツを入力する入力インタフェイスと、外部記録媒体を接続する出力インタフェイスと、コンテンツの利用制御を行うためのコンテンツ利用制御プログラムを記録した記録手段と、該記録手段からコンテンツ利用制御プログラムを読み出して実行する制御部とを有し、前記制御部は、前記コンテンツ利用制御プログラムを実行することにより、前記入力インタフェイスを介して入力された複数の部分コンテンツを集めて１つの集合コンテンツを構成し、該集合コンテンツを構成する部分コンテンツにそれぞれのライセンス情報を割り当て、該割り当てた各ライセンス情報を一括して単一のライセンス情報を生成するライセンス生成手段を有し、前記ライセンス生成手段は、前記集合コンテンツに含まれる部分コンテンツに対して、固有のコンテンツＩＤを付与すると共に、前記集合コンテンツに含まれる部分コンテンツの各ライセンス情報に対して、前記コンテンツＩＤと関連付けされた固有のライセンスＩＤを付与し、前記制御部は、前記コンテンツ利用制御プログラムを実行することにより、前記ライセンス生成手段によって生成されたライセンス情報とその集合コンテンツの両方あるいはいずれか一方を、前記記録手段もしくは前記出力インタフェイスを介して外部記録媒体に出力する出力制御手段と、前記記録手段もしくは前記外部記録媒体に記録された集合コンテンツに含まれる部分コンテンツを復号して再生するコンテンツ再生手段と、該再生した部分コンテンツの利用をそのライセンス情報に含まれる利用条件に従って制御する利用制御手段とを有することを特徴としたものである。
第２の技術手段は、各種コンテンツの提供元から利用者に提供されるコンテンツの利用制御を行うためのコンテンツ利用制御装置において、固有の利用条件を含むライセンス情報を保持する部分コンテンツを入力する入力インタフェイスと、外部記録媒体を接続する出力インタフェイスと、コンテンツの利用制御を行うためのコンテンツ利用制御プログラムを記録した記録手段と、該記録手段からコンテンツ利用制御プログラムを読み出して実行する制御部とを有し、前記制御部は、前記コンテンツ利用制御プログラムを実行することにより、前記入力インタフェイスを介して入力された複数の部分コンテンツを集めて１つの集合コンテンツを構成し、該集合コンテンツを構成する部分コンテンツにそれぞれのライセンス情報を割り当て、該割り当てた各ライセンス情報を一括して単一のライセンス情報を生成するライセンス生成手段を有し、前記ライセンス生成手段は、前記集合コンテンツに含まれる部分コンテンツに対して、固有のコンテンツＩＤを付与すると共に、前記集合コンテンツに含まれる部分コンテンツの各ライセンス情報に対して、前記コンテンツＩＤと関連付けされた固有のライセンスＩＤを付与し、前記制御部は、前記コンテンツ利用制御プログラムを実行することにより、前記ライセンス生成手段によって生成されたライセンス情報とその集合コンテンツとを、前記記録手段もしくは前記出力インタフェイスを介して外部記録媒体の異なる記録領域に出力する出力制御手段と、前記記録手段もしくは前記外部記録媒体に記録された集合コンテンツに含まれる部分コンテンツを復号して再生するコンテンツ再生手段と、該再生した部分コンテンツの利用をそのライセンス情報に含まれる利用条件に従って制御する利用制御手段とを有することを特徴としたものである。
【００２５】
第３の技術手段は、第１又は第２の技術手段において、前記ライセンス生成手段は、複数の部分コンテンツから構成される第１の集合コンテンツを部分コンテンツとし、その第１の集合コンテンツからなる部分コンテンツを複数集めて第２の集合コンテンツを構成し、該第２の集合コンテンツを構成する第１の集合コンテンツにそれぞれのライセンス情報を割り当て、該割り当てた各ライセンス情報を一括して単一のライセンス情報を生成することを特徴としたものである。
【００２６】
第４の技術手段は、第１又は第２の技術手段において、前記入力インタフェイスは、部分コンテンツが記録された記録媒体，部分コンテンツを提供可能なサーバ装置を有するネットワーク，部分コンテンツを配信可能なデジタル放送網のいずれか又は複数の提供元と接続することを特徴としたものである。
【００３０】
第５の技術手段は、第１乃至第４のいずれか１の技術手段において、前記集合コンテンツは映像データ及び／又は音声データから構成され、前記集合コンテンツを構成する部分コンテンツは前記映像データ及び／又は音声データを時間軸上で区切ったものであることを特徴としたものである。
【００３１】
第６の技術手段は、第１乃至第４のいずれか１の技術手段において、前記集合コンテンツは、映像データ，音声データ，データ放送のデータのいずれか又は複数から構成された部分コンテンツを多重化したものであることを特徴としたものである。
【００３２】
第７の技術手段は、第５又は第６の技術手段において、前記部分コンテンツは、ＭＰＥＧ２のＥＳ（Ｅｌｅｍｅｎｔａｒｙ  Ｓｔｒｅａｍ）であることを特徴としたものである。
【００３３】
第８の技術手段は、第５又は第６の技術手段において、前記部分コンテンツは、ＢＳ放送，ＣＳ放送，地上波デジタル放送のいずれか又は複数のストリームであることを特徴としたものである。
【００３４】
第９の技術手段は、第８の技術手段において、前記部分コンテンツは、１つのコンポーネントグループに属するＥＳ群であることを特徴としたものである。
【００３５】
第１０の技術手段は、第１乃至第９のいずれか１の技術手段において、前記ライセンス情報に含まれる利用条件は、部分コンテンツのコピーを制限するためのコピー制限情報，部分コンテンツの視聴を年齢に応じて制限するための年齢視聴制限情報，部分コンテンツの利用回数を制限するための利用回数制限情報，部分コンテンツの利用期限を制限するための利用期限情報のいずれか又は複数から構成されていることを特徴としたものである。
【００３６】
第１１の技術手段は、第１乃至第４のいずれか１の技術手段において、前記集合コンテンツは、画像データ及び／又は文書データから構成される部分コンテンツを合成したものであることを特徴としたものである。
【００３７】
第１２の技術手段は、第１１の技術手段において、前記ライセンス情報に含まれる利用条件は、部分コンテンツのコピーを制限するためのコピー制限情報，部分コンテンツの印刷を制限するための印刷制限情報，部分コンテンツの利用期限を制限するための利用期限情報，部分コンテンツの解像度変換を制限するための解像度制限情報，部分コンテンツの色数を制限するための色数制限情報のいずれか又は複数から構成されていることを特徴としたものである。
【００４１】
第１３の技術手段は、各種コンテンツの提供元から利用者に提供されるコンテンツの利用制御を行うためのコンテンツ利用制御装置のコンテンツ利用制御方法において、前記コンテンツ利用制御装置は、固有の利用条件を含むライセンス情報を保持する部分コンテンツを入力する入力インタフェイスと、外部記録媒体を接続する出力インタフェイスと、コンテンツの利用制御を行うためのコンテンツ利用制御プログラムを記録した記録手段と、該記録手段からコンテンツ利用制御プログラムを読み出して実行する制御部とを有し、前記制御部が、前記コンテンツ利用制御プログラムを実行することにより、前記入力インタフェイスを介して入力された複数の部分コンテンツを集めて１つの集合コンテンツを構成し、該集合コンテンツを構成する部分コンテンツにそれぞれのライセンス情報を割り当て、該割り当てた各ライセンス情報を一括して単一のライセンス情報を生成するステップと、前記集合コンテンツに含まれる部分コンテンツに対して、固有のコンテンツＩＤを付与すると共に、前記集合コンテンツに含まれる部分コンテンツの各ライセンス情報に対して、前記コンテンツＩＤと関連付けされた固有のライセンスＩＤを付与するステップと、前記生成されたライセンス情報とその集合コンテンツの両方あるいはいずれか一方を、前記記録手段もしくは前記出力インタフェイスを介して外部記録媒体に出力するステップと、前記記録手段もしくは前記外部記録媒体に記録された集合コンテンツに含まれる部分コンテンツを復号して再生するステップと、該再生した部分コンテンツの利用をそのライセンス情報に含まれる利用条件に従って制御するステップとを有することを特徴としたものである。
第１４の技術手段は、各種コンテンツの提供元から利用者に提供されるコンテンツの利用制御を行うためのコンテンツ利用制御装置のコンテンツ利用制御方法において、前記コンテンツ利用制御装置は、固有の利用条件を含むライセンス情報を保持する部分コンテンツを入力する入力インタフェイスと、外部記録媒体を接続する出力インタフェイスと、コンテンツの利用制御を行うためのコンテンツ利用制御プログラムを記録した記録手段と、該記録手段からコンテンツ利用制御プログラムを読み出して実行する制御部とを有し、前記制御部が、前記コンテンツ利用制御プログラムを実行することにより、前記入力インタフェイスを介して入力された複数の部分コンテンツを集めて１つの集合コンテンツを構成し、該集合コンテンツを構成する部分コンテンツにそれぞれのライセンス情報を割り当て、該割り当てた各ライセンス情報を一括して単一のライセンス情報を生成するステップと、前記集合コンテンツに含まれる部分コンテンツに対して、固有のコンテンツＩＤを付与すると共に、前記集合コンテンツに含まれる部分コンテンツの各ライセンス情報に対して、前記コンテンツＩＤと関連付けされた固有のライセンスＩＤを付与するステップと、前記生成されたライセンス情報とその集合コンテンツとを、前記記録手段もしくは前記出力インタフェイスを介して外部記録媒体の異なる記録領域に出力するステップと、前記記録手段もしくは前記外部記録媒体に記録された集合コンテンツに含まれる部分コンテンツを復号して再生するステップと、該再生した部分コンテンツの利用をそのライセンス情報に含まれる利用条件に従って制御するステップとを有することを特徴としたものである。
【００４２】
第１５の技術手段は、第１３又は第１４の技術手段において、前記制御部が、前記コンテンツ利用制御プログラムを実行することにより、複数の部分コンテンツから構成される第１の集合コンテンツを部分コンテンツとし、その第１の集合コンテンツからなる部分コンテンツを複数集めて第２の集合コンテンツを構成し、該第２の集合コンテンツを構成する第１の集合コンテンツにそれぞれのライセンス情報を割り当て、該割り当てた各ライセンス情報を一括して単一のライセンス情報を生成するステップを有することを特徴としたものである。
【００４３】
第１６の技術手段は、第１３又は第１４の技術手段において、前記入力インタフェイスは、部分コンテンツが記録された記録媒体，部分コンテンツを提供可能なサーバ装置を有するネットワーク，部分コンテンツを配信可能なデジタル放送網のいずれか又は複数の提供元と接続することを特徴としたものである。
【００４７】
第１７の技術手段は、第１３乃至第１６のいずれか１の技術手段において、前記集合コンテンツは映像データ及び／又は音声データから構成され、前記集合コンテンツを構成する部分コンテンツは前記映像データ及び／又は音声データを時間軸上で区切ったものであることを特徴としたものである。
【００４８】
第１８の技術手段は、第１３乃至第１６のいずれか１の技術手段において、前記集合コンテンツは、映像データ，音声データ，データ放送のデータのいずれか又は複数から構成された部分コンテンツを多重化したものであることを特徴としたものである。
【００４９】
第１９の技術手段は、第１７又は第１８の技術手段において、前記部分コンテンツは、ＭＰＥＧ２のＥＳ（Ｅｌｅｍｅｎｔａｒｙ  Ｓｔｒｅａｍ）であることを特徴としたものである。
【００５０】
第２０の技術手段は、第１７又は第１８の技術手段において、前記部分コンテンツは、ＢＳ放送，ＣＳ放送，地上波デジタル放送のいずれか又は複数のストリームであることを特徴としたものである。
【００５１】
第２１の技術手段は、第２０の技術手段において、前記部分コンテンツは、１つのコンポーネントグループに属するＥＳ群であることを特徴としたものである。
【００５２】
第２２の技術手段は、第１３乃至第２１のいずれか１の技術手段において、前記ライセンス情報に含まれる利用条件は、部分コンテンツのコピーを制限するためのコピー制限情報，部分コンテンツの視聴を年齢に応じて制限するための年齢視聴制限情報，部分コンテンツの利用回数を制限するための利用回数制限情報，部分コンテンツの利用期限を制限するための利用期限情報のいずれか又は複数から構成されていることを特徴としたものである。
【００５３】
第２３の技術手段は、第１３乃至第１６のいずれか１の技術手段において、前記集合コンテンツは、画像データ及び／又は文書データから構成される部分コンテンツを合成したものであることを特徴としたものである。
【００５４】
第２４の技術手段は、第２３の技術手段において、前記ライセンス情報に含まれる利用条件は、部分コンテンツのコピーを制限するためのコピー制限情報，部分コンテンツの印刷を制限するための印刷制限情報，部分コンテンツの利用期限を制限するための利用期限情報，部分コンテンツの解像度変換を制限するための解像度制限情報，部分コンテンツの色数を制限するための色数制限情報のいずれか又は複数から構成されていることを特徴としたものである。
【００６８】
本発明によれば、各種コンテンツの提供元から利用者に提供されるコンテンツの利用制御を行うためのコンテンツ利用制御装置において、固有の利用条件を含むライセンス情報を保持する部分コンテンツを複数集めて構成した集合コンテンツに対して、その集合コンテンツを構成する部分コンテンツにそれぞれのライセンス情報を割り当て、割り当てた各ライセンス情報を一括して単一のライセンス情報を生成することができるため、コンテンツの編集処理等で複数の部分コンテンツから１つの集合コンテンツを作成したときに、部分コンテンツ毎にその利用条件に従って利用することが可能となる。これにより、個々の部分コンテンツは、その利用条件に従って適切に利用制御され、不正利用を防止することができる。
【００６９】
また、部分コンテンツを識別するのに、コンテンツを時間方向で分割するだけでなく、ＥＳやコンポーネントグループ単位で分割することができるため、デジタル放送等において、ＥＳやコンポーネントグループに対して異なるライセンス情報を割り当てることができる。
【００７０】
また、部分コンテンツから作成した集合コンテンツを部分コンテンツとして、さらに新規の集合コンテンツを作成する場合でも、元のライセンス情報から作成したライセンス情報を元として更にライセンス情報を作成することができる。これにより、コンテンツを編集した際にも、元のコンテンツのライセンス情報を元にしたライセンス情報を、上記編集したコンテンツの各部分に割り当てることが可能となる。
【００７１】
さらに、コンテンツの種類やライセンス情報の中味には依存しないので、映像データや音声データに限らず、ライセンス情報により管理されるコンテンツ全般に対して利用することができる。
【図面の簡単な説明】
【００７３】
【図１】本発明の一実施形態に係わるコンテンツ利用制御装置の構成例について説明するためのブロック図である。
【図２】本発明の他の実施形態に係わるコンテンツ利用制御装置の構成例について説明するためのブロック図である。
【図３】本発明の他の実施形態に係わるコンテンツ利用制御装置の構成例について説明するためのブロック図である。
【図４】コンテンツとライセンス情報との対応関係を説明するための図である。
【図５】コンテンツＣ１２とコンテンツＣ１２に対応するライセンスＬ１２の一例について説明するための図である。
【図６】コンテンツ管理情報ＣＭ１２及びライセンス管理情報ＬＭ１２の詳細例を説明するための図である。
【図７】外部記録媒体等に記録されているコンテンツＣ１２に対する利用制御処理の一例を説明するためのフロー図である。
【図８】コンテンツＣ１２とコンテンツＣ１２に対応するライセンスＬ１２の他の例について説明するための図である。
【図９】コンテンツＣ１２とコンテンツＣ１２に対応するライセンスＬ１２の他の例について説明するための図である。
【図１０】コンテンツＣ１２とコンテンツＣ１２に対応するライセンスＬ１２の他の例について説明するための図である。
【図１１】コンテンツＣ３４５とコンテンツＣ３４５に対応するライセンスＬ３４について説明するための図である。
【図１２】コンテンツ管理情報ＣＭ３４５及びライセンス管理情報ＬＭ３４の詳細例を説明するための図である。
【図１３】外部記録媒体等に記録されているコンテンツＣ３４５に対する利用制御処理の一例を説明するためのフロー図である。
【図１４】コンテンツＣ６７とコンテンツＣ６７に対応するライセンスＬ６７について説明するための図である。
【図１５】コンテンツ管理情報ＣＭ６７及びライセンス管理情報ＬＭ６７の詳細例を説明するための図である。
【図１６】外部記録媒体等に記録されているコンテンツＣ６７に対する利用制御処理の一例を説明するためのフロー図である。
【図１７】主に映像データや音声データを扱うときに利用される利用条件を含むライセンス情報の一例について説明するための図である。
【図１８】部分コンテンツ指定形式の一例について説明するための図である。
【図１９】画像データや文章データからなる部分コンテンツに対するコンテンツ情報の一例を説明するための図である。
【図２０】コンテンツＣ１２６７とコンテンツＣ１２６７に対応するライセンスＬ１２６７について説明するための図である。
【図２１】コンテンツ管理情報ＣＭ１２６７及びライセンス管理情報ＬＭ１２６７の詳細例を説明するための図である。
【図２２】コンテンツＣ６７とコンテンツＣ８９を多重化したコンテンツＣ６７８９について説明するための図である。
【図２３】コンテンツ管理情報ＣＭ６７８９及びライセンス管理情報ＬＭ６７８９の詳細例を説明するための図である。
【図２４】コンテンツ管理情報ＣＭ６７とＣＭ８９を、１つのコンテンツ管理情報ＣＭ６７８９に統合した場合の他の実施形態について説明するための図である。
【図２５】コンテンツ管理情報ＣＭ６７８９′及びライセンス管理情報ＬＭ６７８９′の詳細例について説明するための図である。
【図２６】従来のコンテンツと許諾情報（ライセンス情報）との関係について説明するための図である。
【符号の説明】
【００７４】
１０…コンテンツ利用制御装置、１１…制御部、１２…記録手段、１３，２４…入出力インタフェイス（入出力Ｉ／Ｆ）、１４…ユーザＩ／Ｆ、１５…表示手段、１６…操作入力手段、１７…記録媒体。
【発明を実施するための最良の形態】
【００７５】
以下、本発明のコンテンツ利用制御装置、記録装置、再生装置、記録媒体、及びコンテンツ利用制御方法の各実施形態を、添付された図面を参照して説明する。なお、実施形態を説明するための全図において、同様の機能を有する部分には同じ符号を付け、その繰り返しの説明は省略する。
図１は、本発明の一実施形態に係わるコンテンツ利用制御装置の構成例について説明するためのブロック図で、図中、１０はコンテンツ利用制御装置で、該コンテンツ利用制御装置１０は、コンテンツの利用制御を行う制御部１１，コンテンツやそのライセンス情報等を記録するための内蔵又は外付けの記録手段１２，コンテンツ提供元と接続するための入出力インタフェイス（入出力Ｉ／Ｆ）１３，リモコン等の操作入力手段１６からの操作指示を受け付けるユーザインタフェイス（ユーザＩ／Ｆ）１４を備え、ユーザＩ／Ｆ１４を介してＣＲＴやＬＣＤなどの表示手段１５と接続される。
【００７６】
制御部１１は、図示しないＣＰＵ及びメモリからなり、このメモリには、入力制御手段１１ａ，ライセンス生成手段１１ｂ，出力制御手段１１ｃ，管理情報取得手段１１ｄ，コンテンツ再生手段１１ｅ，利用制御手段１１ｆからなるコンテンツの利用制御を行うためのコンテンツ利用制御プログラムがロードされ、実行される。このコンテンツ利用制御プログラムは、非実行時には記録手段１２に格納されており、実行時に記録手段１２から上記メモリにロードされて上記ＣＰＵからの指示に従ってコンテンツ利用制御処理が実行される。
【００７７】
以下、上記各手段について詳細に説明する。
まず、入出力Ｉ／Ｆ１３は、コンテンツを記録した外部記録媒体、ネットワークを介してコンテンツを提供するサーバ装置、ＢＳ／ＣＳ放送及び地上波デジタル放送等の放送波を介してコンテンツを提供するデジタル放送網のいずれか又は複数と接続することができる。入出力Ｉ／Ｆ１３は、上記サーバ装置と接続する場合には、インターネット等のネットワークに接続するためのネットワーク接続機能を備えるものとし、上記デジタル放送網と接続する場合には、コンテンツ提供元から送信されたデジタル放送波を受信するためのチューナ機能を備えているものとする。また、コンテンツ利用制御装置１０は、入出力Ｉ／Ｆ１３を介して、デジタル放送のチューナ機能を備えたデジタル放送受信機と接続するようにしてもよく、この場合、上記チューナ機能は不要となる。
而して、本発明のコンテンツ利用制御装置１０は、コンテンツの種類や提供元、提供形態に係わらず、ライセンス情報により管理されるコンテンツ全てに対して適用することができる。ここで、ライセンス情報とは、コンテンツの利用条件を含むもので、この利用条件として、例えば、コンテンツのコピーを制限するためのコピー制限情報，印刷を制限するための印刷制限情報，利用期限情報，解像度の変換を制限するための解像度制限情報，色数を制限するための色数制限情報などのいずれか又は複数が含まれる。また、上記ライセンス情報は、コンテンツに対して個別に設定されているものとする。
【００７８】
図１に示すコンテンツ利用制御装置１０において、入力制御手段１１ａは、操作入力手段１６から入力された操作情報をユーザＩ／Ｆ１４を介して受け付け、その操作情報に従って、入出力Ｉ／Ｆ１３に接続された外部記録媒体，サーバ装置，デジタル放送網のいずれか又は複数から、ライセンス情報を保持する部分コンテンツを取得する。
この部分コンテンツとして、例えば、再生時間３０分の映像データであるコンテンツＣ１，同じく再生時間３０分の映像データであるコンテンツＣ２を想定する。これらの部分コンテンツはそれぞれライセンス情報（利用条件）を予め保持しているものとする。
【００７９】
ライセンス生成手段１１ｂは、上記コンテンツＣ１及びコンテンツＣ２を１つのコンテンツＣ１２とし、そのコンテンツＣ１２に対して、部分コンテンツとなるコンテンツＣ１，コンテンツＣ２に各ライセンス情報（ライセンスＬ１，ライセンスＬ２）を割り当て、割り当てた各ライセンス情報を一括して単一のライセンス情報（ライセンスＬ１２）を生成する。従って、コンテンツＣ１２のライセンス情報（ライセンスＬ１２）は、コンテンツＣ１，コンテンツＣ２それぞれのライセンス情報（ライセンスＬ１，ライセンスＬ２）から構成されると共に、単一のライセンス情報として取り扱うことができる。尚、上記部分コンテンツ（コンテンツＣ１，コンテンツＣ２）はそれぞれに応じたライセンスＬ１，ライセンスＬ２と関連付けされている。
【００８０】
出力制御手段１１ｃは、ライセンス生成手段１１ｂにより生成されたコンテンツＣ１２とそのライセンスＬ１２の両方あるいはいずれか一方を記録媒体１７もしくは記録手段１２に出力して記録する。尚、コンテンツＣ１２とそのライセンスＬ１２とは関連付けされているため、コンテンツＣ１２とそのライセンスＬ１２とを独立して別々の記録領域に記録することもできる。
ここで、記録媒体１７としては、ＣＤ−ＲＯＭ（Ｒ／ＲＷ），光磁気ディスク，ＤＶＤ−ＲＯＭ（Ｒ／ＲＷ），ＦＤ，ＨＤ，メモリカード，フラッシュメモリ，及びその他各種ＲＯＭやＲＡＭ等が含まれるものとする。
【００８１】
次に、上記のごとくコンテンツＣ１２とそのライセンスＬ１２の両方あるいはいずれか一方を記録した記録媒体１７又は記録手段１２から、利用条件に従って所望のコンテンツを再生する処理について説明する。尚、記録媒体１７は、コンテンツ利用制御装置１０以外の他の装置で記録されたものであってもよい。
上述したライセンス生成処理及び記録処理によって、記録媒体１７には、コンテンツＣ１２及びそのライセンスＬ１２にそれぞれの管理情報が付加された状態で記録されている。コンテンツを管理するコンテンツ管理情報には、例えば、部分コンテンツの指定形式（例えば、時間など），部分コンテンツ数，各部分コンテンツの識別情報等が含まれ、ライセンスを管理するライセンス管理情報には、例えば、対応する部分コンテンツの指定形式（例えば、時間など），ライセンス数，部分コンテンツのライセンス等が含まれる。
【００８２】
管理情報取得手段１１ｄは、記録媒体１７から上記コンテンツ管理情報及びライセンス管理情報を取得し、取得したコンテンツ管理情報及びライセンス管理情報に基づいて、利用する部分コンテンツとライセンス情報との対応付けを行う。コンテンツ再生手段１１ｅは、上記ライセンス情報に含まれる復号用情報に基づいて該当する部分コンテンツを再生する。利用制御手段１１ｆは、コンテンツ再生手段１１ｅにより再生された部分コンテンツを、その対応するライセンス情報に含まれる利用条件に従って利用制御する。
【００８３】
図２は、本発明の他の実施形態に係わるコンテンツ利用制御装置の構成例について説明するためのブロック図で、本実施形態のコンテンツ利用制御装置１０は、複数の部分コンテンツからなる集合コンテンツに対するライセンス生成処理と、生成したライセンス情報及びその集合コンテンツの記録処理とを実行するための入力制御手段１１ａ，ライセンス生成手段１１ｂ，出力制御手段１１ｃを制御部１１に備え、ライセンス生成手段１１ｂにより生成された集合コンテンツとそのライセンス情報の両方あるいはいずれか一方を記録媒体１７又は記録手段１２に記録する記録装置として機能する。
尚、本実施形態のコンテンツ利用制御装置１０は、ユーザが自身で作成した、あるいは、任意のコンテンツ提供元から入手した利用制限のないコンテンツに対して利用条件を含むライセンス情報を新規に設定することができる、この場合、ライセンス情報を新規に設定したコンテンツを部分コンテンツとし、これらの部分コンテンツを集めて構成した集合コンテンツに対して、各部分コンテンツのライセンス情報を一括して単一のライセンス情報を生成するようにしてもよい。
【００８４】
図３は、本発明の他の実施形態に係わるコンテンツ利用制御装置の構成例について説明するためのブロック図で、本実施形態のコンテンツ利用制御装置１０は、記録媒体あるいは記録手段１２に記録された集合コンテンツに含まれる部分コンテンツの再生処理と、再生した部分コンテンツの利用条件に従った利用制御処理とを実行するための管理情報取得手段１１ｄ，コンテンツ再生手段１１ｅ，利用制御手段１１ｆを制御部１１に備え、コンテンツ再生手段１１ｅが、利用する部分コンテンツを再生し、利用制御手段１１ｆが、上記再生した部分コンテンツをその利用条件に従って個々に利用制御する再生装置として機能する。
【００８５】
以下、図１に示したコンテンツ利用制御装置１０を用いて実行されるコンテンツ利用制御方法の各実施形態について図４乃至図２５に基づいて説明する。
（実施形態１）
本発明の実施形態１について図４乃至図１０を参照しながら説明する。実施形態１では以下の処理を実現する。
・コンテンツがビデオデータであって、時間毎にライセンス情報を割り当てる処理。
・コンテンツを編集して作成された新規のコンテンツに対するライセンス情報を生成する処理。
図４は、コンテンツとライセンス情報との対応関係を説明するための図で、コンテンツＣ１とコンテンツＣ２は、それぞれ利用条件を保持している。コンテンツＣ１に対する利用条件はライセンスＬ１に、コンテンツＣ２に対する利用条件はライセンスＬ２に記録されている。
【００８６】
上記コンテンツは、単体での不正利用を防ぐために、暗号化されていることが好ましい。そのために必要な復号情報も、ライセンス情報中に記録している。本実施形態は、暗号方式や復号情報に依存しないので、ここでの詳細な説明は省略する。また、ライセンス情報は、利用者が自由に参照できたり、変更できたりすると、コンテンツの不正使用につながるので、利用者やアプリケーションが参照したり、変更できないセキュア領域に記録するのが好ましい。以下、特に断らないが、ライセンス情報はセキュア領域に記録しているものとする。
【００８７】
本実施形態において、コンテンツは映像データである。コンテンツＣ１，コンテンツＣ２は、それぞれが再生時間３０分で、単一の利用条件を保持しており、ここでは利用条件をコンテンツＣ１，コンテンツＣ２の利用期限とする。
【００８８】
以下、コンテンツＣ１の最後にコンテンツＣ２を追加した６０分のコンテンツＣ１２の利用制御方法について説明する。本実施形態では、コンテンツＣ１とコンテンツＣ２がコンテンツＣ１２の部分コンテンツとなる。
【００８９】
図５は、コンテンツＣ１２とコンテンツＣ１２に対応するライセンスＬ１２の一例について説明するための図である。コンテンツＣ１２はコンテンツＣ１，コンテンツＣ２，コンテンツ管理情報ＣＭ１２から構成され、ライセンスＬ１２はライセンスＬ１，ライセンスＬ２，ライセンス管理情報ＬＭ１２から構成される。尚、これらのコンテンツＣ１２及びライセンスＬ１２の生成処理はライセンス生成手段１１ｂにより実行される。
【００９０】
図６は、コンテンツ管理情報ＣＭ１２及びライセンス管理情報ＬＭ１２の詳細例を説明するための図である。コンテンツ管理情報ＣＭ１２は、例えば、部分コンテンツ指定形式，部分コンテンツ数，部分コンテンツの識別情報（本実施形態では、コンテンツＣ１の識別情報及びコンテンツＣ２の識別情報）から構成される。
【００９１】
本実施形態において、部分コンテンツは時間方向に追加されているので、部分コンテンツ指定形式には「時間」が記録されている。また、部分コンテンツ数は２（コンテンツＣ１，コンテンツＣ２）が記録されている。また、コンテンツＣ１２上で、どこが１番目の部分コンテンツなのかが、コンテンツＣ１の識別情報として記録されている。ここでは、コンテンツＣ１２中の「先頭０分から先頭３０分まで」を表す情報が記録されている。また、どこが２番目の部分コンテンツなのかが、コンテンツＣ２の識別情報として記録されている。ここでは、コンテンツＣ１２中の「先頭３０分から先頭６０分まで」を表す情報が記録されている。
【００９２】
同様に、ライセンス管理情報ＬＭ１２は、例えば、部分コンテンツ指定形式，ライセンス数，部分コンテンツのライセンス（本実施形態では、コンテンツＣ１のライセンスＬ１，コンテンツＣ２のライセンスＬ２）から構成される。ライセンスＬ１，ライセンスＬ２はライセンス情報の実体（ライセンス情報そのもの）またはライセンス情報へのリンクが記録されている。本実施形態ではライセンス情報の実体が記録されているものとする。
【００９３】
図７は、外部記録媒体等に記録されているコンテンツＣ１２に対する利用制御処理の一例を説明するためのフロー図である。まず、管理情報取得手段１１ｄは、コンテンツＣ１２に含まれるコンテンツ管理情報ＣＭ１２を取得し（ステップＳ１）、その中に含まれる部分コンテンツ指定形式（本実施形態では時間）を取得し（ステップＳ２）、部分コンテンツ数を取得する（ステップＳ３）。次に、部分コンテンツの識別情報を参照して、利用する区間がどの部分コンテンツに属するか探す（ステップＳ４）。
次に、管理情報取得手段１１ｄは、ライセンス管理情報ＬＭ１２を取得し（ステップＳ５）、その中から該当する部分コンテンツのライセンス情報を取得する（ステップＳ６）。ここでは、コンテンツ管理情報ＣＭ１２における何番目の部分コンテンツかという情報に基づいて、ライセンス管理情報ＬＭ１２における同じ順番のライセンス情報を対応させ、上記部分コンテンツとライセンス情報との対応付けを行う
次に、コンテンツ再生手段１１ｅは、取得したライセンス情報に含まれる復号用情報に基づいてコンテンツを復号して再生し（ステップＳ７）、利用制御手段１１ｆは、ライセンス情報に含まれる利用条件に基づき、再生したコンテンツの利用制御を行う（ステップＳ８）。
【００９４】
図８は、コンテンツＣ１２とコンテンツＣ１２に対応するライセンスＬ１２の他の例について説明するための図である。本実施形態では、コンテンツＣ１２はコンテンツＣ１やコンテンツＣ２の実体を保持しているが、図８に示すように、コンテンツの実体を保持せずにコンテンツへのリンクを用いても良い。リンク情報としては、例えば、ファイル名や、記録媒体上での論理アドレスなどを使用することができる。
【００９５】
図９は、コンテンツＣ１２とコンテンツＣ１２に対応するライセンスＬ１２の他の例について説明するための図である。本実施形態において、コンテンツＣ１２は部分コンテンツであるコンテンツＣ１，コンテンツＣ２、それぞれの全体から構成されているが、図９に示すように、コンテンツＣ１，コンテンツＣ２の部分を利用することもできる。すなわち、コンテンツＣ１の先頭１５分に、コンテンツＣ２の後半１５分を追加して、３０分のコンテンツを作成した場合には、コンテンツＣ１の識別情報として、コンテンツＣ１２中の「先頭０分から先頭１５分まで」が、コンテンツＣ２の識別情報として、コンテンツＣ１２中の「先頭１５分から先頭３０分まで」を表す情報が記録されている。ライセンス情報の構成に関しては、コンテンツ全体を用いた場合と同じである。
【００９６】
図１０は、コンテンツＣ１２とコンテンツＣ１２に対応するライセンスＬ１２の他の例について説明するための図である。本例では、更に、コンテンツＣ１，コンテンツＣ２の部分を切り出さず、図１０に示すように、コンテンツＣ１，コンテンツＣ２の部分へのリンクを利用することもできる。尚、コンテンツＣ１，コンテンツＣ２の識別情報は、リンクでなくコンテンツ実体を利用したときと同じである。
以上、コンテンツＣ１２に対するコンテンツの参照方法は、前述した図５，図８，図９，図１０に示した各方法を任意に組み合わせ、任意のコンテンツ数で適用することができる。その場合には、部分コンテンツの実体（本体），実体へのリンク，部分の実体，部分の実体へのリンクのいずれを参照しているのかを示す情報をコンテンツＣ１２が保持する。尚、この情報の格納形式は問わない。
【００９７】
また、部分コンテンツから新規のコンテンツを作成する際にデータ形式を変換しても良い（但し、利用条件により、データ形式の変換が禁止される場合もある）。例えば、部分コンテンツが音声データで、元のデータ形式がＡＡＣであるのを、ＭＰ３に変換したり、音声データのビットレートを落としたり、動画像データを再エンコードしても良い。このデータ形式変換処理はライセンス生成手段１１ｂにより実行されるものとする。
【００９８】
このように、複数の部分コンテンツから構成される集合コンテンツに対して、利用条件を保持するライセンス情報を、個々の部分コンテンツに割り当てることができると共に、割り当てたライセンス情報を一括して単一のライセンス情報として取り扱うことができるため、個々の部分コンテンツは、その利用条件に従って適切に利用制御され、不正利用を防止することができる。
【００９９】
（実施形態２）
本発明の実施形態２について図１１乃至図１３を参照しながら説明する。実施形態２では以下の処理を実現する。
・コンテンツに参照用のコンテンツＩＤを与える処理。
・ライセンス情報に参照用のライセンスＩＤを与える処理。
本実施形態において、コンテンツＣ３とコンテンツＣ４とコンテンツＣ５は、それぞれ利用条件を保持している。コンテンツＣ３に対する利用条件はライセンスＬ３に、コンテンツＣ４に対する利用条件はライセンスＬ４に、コンテンツＣ５に対する利用条件はライセンスＬ３にそれぞれ記録されている。尚、コンテンツＣ３とコンテンツＣ５は同一の利用条件を保持しており、共通のライセンスＬ３を利用している。
【０１００】
ここで、各コンテンツにはコンテンツＩＤとして、ＩＤ＿Ｃ３，ＩＤ＿Ｃ４，ＩＤ＿Ｃ５を、ライセンスＩＤとして、ＩＤ＿Ｌ３，ＩＤ＿Ｌ４を割り当てている。コンテンツＩＤ，ライセンスＩＤはコンテンツやライセンスの識別をするためのものであって、その体系は本発明とは関係ないのでここでの説明は省略する。
【０１０１】
本実施形態のコンテンツは、例えば、映像データとする。コンテンツＣ３，コンテンツＣ４，コンテンツＣ５は、それぞれが再生時間６０分で、単一の利用条件を保持している。ここでの利用条件はコンテンツＣ３，コンテンツＣ４，コンテンツＣ５の利用期限である。コンテンツＣ３の最後にコンテンツＣ４を追加し、その最後に、さらにコンテンツＣ５を追加した１８０分のコンテンツＣ３４５の利用制御方法について以下に説明する。コンテンツＣ３とコンテンツＣ４とコンテンツＣ５がコンテンツＣ３４５の部分コンテンツとなる。
【０１０２】
図１１は、コンテンツＣ３４５とコンテンツＣ３４５に対応するライセンスＬ３４について説明するための図である。コンテンツＣ３４５はコンテンツＣ３、コンテンツＣ４、コンテンツＣ５、及びコンテンツ管理情報ＣＭ３４５から、ライセンスＬ３４はライセンスＬ３、ライセンスＬ４、及びライセンス管理情報ＬＭ３４から構成される。尚、これらのコンテンツＣ３４５及びライセンスＬ３４の生成処理はライセンス生成手段１１ｂにより実行される。
【０１０３】
図１２は、コンテンツ管理情報ＣＭ３４５及びライセンス管理情報ＬＭ３４の詳細例を説明するための図である。コンテンツ管理情報ＣＭ３４５は、部分コンテンツ指定形式、部分コンテンツ数、部分コンテンツの識別情報（本実施形態では、コンテンツＣ３の識別情報、コンテンツＣ４の識別情報、コンテンツＣ５の識別情報）から構成される。
【０１０４】
本実施形態において、部分コンテンツは時間方向に追加されているので、コンテンツ管理情報ＣＭ３４５の部分コンテンツ指定形式には「時間」が記録されている。また、部分コンテンツ数は３（コンテンツＣ３、コンテンツＣ４、コンテンツＣ５）が記録されている。また、コンテンツＣ３４５上における部分コンテンツの並び順がコンテンツＩＤにより記録されている。本実施形態においては、ＩＤ＿Ｃ３、ＩＤ＿Ｃ４、ＩＤ＿Ｃ５となる。
【０１０５】
そして、部分コンテンツ毎に、部分コンテンツ識別情報と参照するライセンス情報が記録されている。本実施形態においては、部分コンテンツＣ３（コンテンツＩＤ＿Ｃ３）に対しては、コンテンツＣ３４５中の「先頭０分から先頭６０分まで」を表す情報が記録されている。同様に、部分コンテンツＣ４（コンテンツＩＤ＿Ｃ４）に対してはコンテンツＣ３４５中の「先頭６０分から先頭１２０分まで」を表す情報が、部分コンテンツＣ５（コンテンツＩＤ＿Ｃ５）に対してはコンテンツＣ３４５中の「先頭１２０分から先頭１８０分まで」を表す情報が記録されている。なお、コンテンツＣ３４５において、各部分コンテンツは、実施形態１に示したように、部分コンテンツの実体、部分コンテンツへのリンク、部分コンテンツの部分の実体、部分コンテンツの部分へのリンクのいずれであっても良い。
【０１０６】
ライセンスＬ３４に含まれるライセンス管理情報ＬＭ３４について以下に説明する。
本実施形態において、ライセンスＬ３４はコンテンツＣ３４５のライセンス情報を保持しているが、コンテンツＣ３４５が部分コンテンツからどのように作成されているかは無関係である。従って、ライセンス管理情報ＬＭ３４には、部分コンテンツ指定形式は含まれていない。ライセンス管理情報ＬＭ３４は、ライセンス数（本実施形態においては２）、コンテンツ管理情報ＣＭ３４５から参照されるライセンスＩＤ（本実施形態においては、ＩＤ＿Ｌ３、ＩＤ＿Ｌ４）、ライセンスＩＤ毎のライセンス（実施形態１に示したようにライセンスの実体であっても、リンクであっても良い）から基本的に構成される。
【０１０７】
尚、本実施形態のように、各ライセンスがどの部分コンテンツのためのライセンス情報なのか、ライセンスＩＤ毎に参照元のコンテンツＩＤを記録しておいても良い。参照元のコンテンツＩＤを記録しておくと、コンテンツを編集して、元のコンテンツに含まれていた特定の部分コンテンツがなくなった場合など、参照されることのなくなったライセンスが容易に把握できるようになるため、不要なライセンスを削除するなどの処理が容易になる。
【０１０８】
図１３は、外部記録媒体等に記録されているコンテンツＣ３４５に対する利用制御処理の一例を説明するためのフロー図である。まず、管理情報取得手段１１ｄは、コンテンツＣ３４５に含まれるコンテンツ管理情報ＣＭ３４５を取得し（ステップＳ１１）、その中に含まれる部分コンテンツ指定形式（本実施形態では時間）を取得し（ステップＳ１２）、部分コンテンツ数を取得する（ステップＳ１３）。次に、部分コンテンツの識別情報を参照して、利用する区間がどの部分コンテンツに属するか探し（ステップＳ１４）、参照するライセンス情報のライセンスＩＤを取得する（ステップＳ１５）。
次に、管理情報取得手段１１ｄは、ライセンス管理情報ＬＭ３４を取得し（ステップＳ１６）、上記ステップＳ１５で取得したライセンスＩＤに基づいて、該当する部分コンテンツのライセンス情報を取得する（ステップＳ１７）。
次に、コンテンツ再生手段１１ｅは、取得したライセンス情報に含まれる復号用情報に基づいてコンテンツを復号して再生し（ステップＳ１８）、利用制御手段１１ｆは、ライセンス情報に含まれる利用条件に基づき、再生したコンテンツの利用制御を行う（ステップＳ１９）。
【０１０９】
このように、複数の部分コンテンツから構成される集合コンテンツに対して、利用条件を保持するライセンス情報を、個々の部分コンテンツに割り当てることができると共に、割り当てたライセンス情報を一括して単一のライセンス情報として取り扱うことができるため、個々の部分コンテンツは、その利用条件に従って適切に利用制御され、不正利用を防止することができる。さらに、コンテンツとライセンス情報とをＩＤで管理しているので、複数の部分コンテンツに同一のライセンス情報を割り当てたり、コンテンツ削除時のライセンス管理が容易になる。
【０１１０】
（実施形態３）
本発明の実施形態３について図１４乃至図１６を参照しながら説明する。実施形態３では以下の処理を実現する。
・コンテンツを多重化したビデオデータで構成する処理。
本実施形態では、映像データ、音声データ、データ放送のデータ等を部分コンテンツとして、これらを多重化したコンテンツの構成について説明する。より具体的には、例えば、映像データ、音声データ、データ放送のデータ等はＭＰＥＧ２のＥＳ（Ｅｌｅｍｅｎｔａｒｙ  Ｓｔｒｅａｍ）であり、コンテンツはそれらを多重化したＴＳ（Ｔｒａｎｓｐｏｒｔ  Ｓｔｒｅａｍ）として、このＥＳ及びＴＳを代表例として説明する。
【０１１１】
ここで、コンテンツＣ６とコンテンツＣ７は、それぞれ利用条件を保持している。コンテンツＣ６に対する利用条件はライセンスＬ６に、コンテンツＣ７に対する利用条件はライセンスＬ７に記録されている。各コンテンツにはコンテンツＩＤとしてＩＤ＿Ｃ６、ＩＤ＿Ｃ７を、ライセンスＩＤとしてＩＤ＿Ｌ６、ＩＤ＿Ｌ７を割り当てている。コンテンツＩＤ、ライセンスＩＤの位置づけや利用法は、上記した実施形態２と同様である。
【０１１２】
コンテンツＣ６、コンテンツＣ７は再生時間が３０分の映像データであって、内容は互いに相関を持っている。例えば、コンテンツＣ６はスポーツの中継、コンテンツＣ７は同一のスポーツの応援席の中継などである。尚、利用条件はコンテンツＣ６、コンテンツＣ７の複製可否とする。ここでは、コンテンツＣ６とコンテンツＣ７を多重化したコンテンツＣ６７の利用制御方法について説明する。
コンテンツＣ６とコンテンツＣ７がコンテンツＣ６７の部分コンテンツとなる。コンテンツＣ６７を再生している時に、利用者からの要求に基づき、コンテンツＣ６とコンテンツＣ７を切り替えて利用することができ、そのときにコンテンツに対応したライセンス情報が使用される。以下詳細に説明する。
【０１１３】
図１４は、コンテンツＣ６７とコンテンツＣ６７に対応するライセンスＬ６７について説明するための図である。コンテンツＣ６７はコンテンツＣ６、コンテンツＣ７、コンテンツ管理情報ＣＭ６７から、ライセンスＬ６７はライセンスＬ６、ライセンスＬ７、コンテンツ管理情報ＬＭ６７から構成される。尚、これらのコンテンツＣ６７及びライセンスＬ６７の生成処理はライセンス生成手段１１ｂにより実行される。
【０１１４】
図１５は、コンテンツ管理情報ＣＭ６７及びライセンス管理情報ＬＭ６７の詳細例を説明するための図である。コンテンツ管理情報ＣＭ６７は、部分コンテンツ指定形式、部分コンテンツ数、部分コンテンツの識別情報（本実施形態では、コンテンツＣ６の識別情報、コンテンツＣ７の識別情報）から構成される。
【０１１５】
ここで、部分コンテンツは多重化されているので、コンテンツ管理情報ＣＭ６７の部分コンテンツ指定形式には「ＰＩＤ（Ｐａｃｋｅｔ  Ｉｄｅｎｔｉｆｉｃａｔｉｏｎ）」が記録されている。また、部分コンテンツ数は２（コンテンツＣ６、コンテンツＣ７）、部分コンテンツのＩＤ＿Ｃ６、ＩＤ＿Ｃ７が記録されている。そして、部分コンテンツ毎に、部分コンテンツ識別情報と参照するライセンスが記録されている。本実施形態では、部分コンテンツＣ６（コンテンツＩＤ＿Ｃ６）に対してはコンテンツＣ６のＰＩＤを識別する情報ＰＩＤ＿Ｃ６が記録されている。同様に、部分コンテンツＣ７（コンテンツＩＤ＿Ｃ７）に対してはコンテンツＣ７のＰＩＤを識別する情報ＰＩＤ＿Ｃ７が記録されている。
【０１１６】
ライセンスＬ６７に含まれるライセンス管理情報ＬＭ６７について説明する。
本実施形態では、ライセンスＬ６７はコンテンツＣ６７のライセンス情報を保持しているが、コンテンツＣ６７が部分コンテンツからどのように作成されているかは無関係である。したがって、ライセンス管理情報ＬＭ６７には、部分コンテンツ指定形式は含まれていない。ライセンス管理情報ＬＭ６７は、ライセンス数（本実施形態においては２つ）、コンテンツ管理情報ＣＭ６７から参照されるライセンスＩＤ（本実施形態においては、ＩＤ＿Ｌ６、ＩＤ＿Ｌ７）、ライセンスＩＤ毎のライセンス（実施形態１に示したようにライセンス情報の実体であっても、リンクであっても良い）から基本的に構成される。尚、本実施形態のように、各ライセンスがどの部分コンテンツのためのライセンスなのか、ライセンスＩＤ毎に参照元のコンテンツＩＤを記録しておいても良い。
【０１１７】
図１６は、外部記録媒体等に記録されているコンテンツＣ６７に対する利用制御処理の一例を説明するためのフロー図である。まず、管理情報取得手段１１ｄは、コンテンツＣ６７に含まれるコンテンツ管理情報ＣＭ６７を取得し（ステップＳ２１）、部分コンテンツ指定形式（本実施形態ではＰＩＤ）を取得し（ステップＳ２２）、部分コンテンツ数を取得する（ステップＳ２３）。次に、部分コンテンツの識別情報を参照して、利用する区間がどの部分コンテンツに属するか探し（ステップＳ２４）、参照するライセンス情報のライセンスＩＤを取得する（ステップＳ２５）。
次に、管理情報取得手段１１ｄは、ライセンス管理情報ＬＭ６７を取得し（ステップＳ２６）、上記ステップＳ２５で取得したライセンスＩＤに基づいて、該当する部分コンテンツのライセンス情報を取得する（ステップＳ２７）。
次に、コンテンツ再生手段１１ｅは、取得したライセンス情報に含まれる復号用情報に基づいてコンテンツを復号して再生し（ステップＳ２８）、利用制御手段１１ｆは、ライセンス情報に含まれる利用条件に基づき、再生したコンテンツの利用制御を行う（ステップＳ２９）。
【０１１８】
このように、複数の部分コンテンツから構成される集合コンテンツに対して、利用条件を保持するライセンス情報を、個々の部分コンテンツに割り当てることができると共に、割り当てたライセンス情報を一括して単一のライセンス情報として取り扱うことができるため、個々の部分コンテンツは、その利用条件に従って適切に利用制御され、不正利用を防止することができる。さらに、コンテンツとライセンス情報とをＩＤで管理しているので、複数の部分コンテンツに同一のライセンス情報を割り当てたり、コンテンツ削除時のライセンス管理が容易になる。
【０１１９】
本実施形態では、コンテンツＣ６とコンテンツＣ７の再生時間は同一であるが、必ずしもその必要はない。その場合、コンテンツ管理情報ＣＭ６７、又はコンテンツＣ６やコンテンツＣ７の管理情報（図示せず）に、コンテンツの再生時間を記録しておき、再生時に参照し、コンテンツがない場合は再生処理を行わないように構成する。同様に、コンテンツＣ６７の先頭に、コンテンツＣ６及びコンテンツＣ７を多重化したが、再生開始位置は別々でも構わない。この場合は、コンテンツ管理情報ＣＭ６７に部分コンテンツの多重化状況に関する情報を記録しておき、再生時に参照する。
【０１２０】
（実施形態４）
本発明の実施形態４について図１７及び図１８を参照しながら説明する。実施形態４では以下の処理を実現する。
・実施形態３において、コンテンツを多重化したビデオデータを、デジタル放送のコンテンツで構成する処理。
・利用条件はコピー制御情報，年齢視聴制限，利用回数制限のいずれか又は複数とする処理。
上記実施形態３において、ＢＳ／ＣＳ／地上波デジタル放送のストリームがコンテンツであるときの、ライセンス情報と部分コンテンツ指定形式について以下に説明する。
図１７は、主に映像データや音声データを扱うときに利用される利用条件を含むライセンス情報の一例について説明するための図である。ライセンスとしては、図１７に示す利用条件が単体、もしくは組み合わされて利用される。以下、それぞれの利用条件について個別に説明する。
【０１２１】
まず、コピー制御情報は、コンテンツのコピー可否に関する情報である。デジタル放送においては、ＣＧＭＳ（Ｃｏｐｙ  Ｇｅｎｅｒａｔｉｏｎ  Ｍａｎａｇｅｍｅｎｔ  Ｓｙｓｔｅｍ）や、マクロビジョン等が用いられている。指定されているＣＧＭＳやマクロビジョンの情報に沿って、コンテンツを利用する。ＣＧＭＳでは「コピー禁止」，「一世代のみコピー可」，「制約条件なしにコピー可」の状態がある。「コピー禁止」のときは、当該コンテンツを部分コンテンツにする際に、実体をコピーすることはできない。リンクのみを部分コンテンツとする。また、「一世代のみコピー可」のときで実体をコピーするときは、利用条件を「コピー禁止」に変更する必要がある。「制約条件なしにコピー可」のときは、何の制限もなくコピーが可能である。また、マクロビジョンの情報においては、情報に応じたコピー制御信号を出力信号に多重化する。以上、説明したように、新規のコンテンツのためのライセンス情報を作る際に、ライセンス情報の中味を必要に応じて変更する。
【０１２２】
また、年齢視聴制限は、機器に設定されている年齢によりコンテンツの利用を制限する。また、利用回数は、デジタル放送では、該当する利用制限はないが、コンテンツの再生回数などを制限する。利用期限に関しては、利用可能開始日時、利用可能終了日時の両方または片方を指定し、その区間内での利用を可能とする。さらに、利用地域に関しては、機器に設定されている地域の条件と一致した場合のみコンテンツを利用可能とする。
【０１２３】
図１８は、部分コンテンツ指定形式の一例について説明するための図である。部分コンテンツの指定形式としては、「時間」、「ＰＩＤ」、「コンポーネントグループ」等が挙げてある。この「時間」は、前述した実施形態１、実施形態２で説明したように新規のコンテンツの先頭からの再生時間での指定を意味している。また、「ＰＩＤ」は、ＭＰＥＧ２のストリームに対して、そのＥＳを直接指定することができる。また、「コンポーネントグループ」では、映像、音声、文字、各種データなどデジタル放送の番組を構成する要素にコンポーネントタグという番号を付けたもので、一つ以上のＥＳから構成される。
【０１２４】
以上のように構成することで、ＢＳ／ＣＳ／地上波デジタル放送におけるコンテンツの利用条件を、当該コンテンツを部分コンテンツとした新規のコンテンツの各部分の利用条件として引き継ぐことが可能となる。尚、本実施形態に留まらず、任意のライセンス情報や部分コンテンツ指定形式を指定することができる。
【０１２５】
（実施形態５）
本発明の実施形態５について図１９を参照しながら説明する。実施形態５では以下の処理を実現する。
・部分コンテンツは、画像データや文書データで構成され、利用条件に期限を設定する処理。
・利用条件に、コピー制限情報及び／又は印刷可否を設定する処理。
ここまでの実施形態において、部分コンテンツは映像データ、音声データ、データ放送のデータであった。本実施形態では画像データや文書データを部分コンテンツとしたものを例に以下に説明する。
図１９は、画像データや文章データからなる部分コンテンツに対するコンテンツ情報の一例を説明するための図である。例えば、写真などの画像データや、ニュースリリースなどの文書データからなるコンテンツに対して、利用条件が設定されることがある。この際、必要となるライセンス情報としては、コピー制御（ここではデータのコピー可否）、印刷可否、解像度（解像度の変換を許可するかどうか）、色数（色数を落とすことを許可するかどうか）、利用期限などがある。
このようにライセンス情報を設定することで、利用条件のある静止画や文書などのコンテンツを組み合わせて、静止画及び文書を含む１つの収集文書を作成したときに、その収集文書中に含まれる静止画と文章に別々の利用条件を加えた、単一のライセンス情報を作成することができる。さらに、その収集文書を複数組み合わせて新たな収集文書を作成した場合にも、単一のライセンス情報で収集文書全体、収集文書を構成する静止画、文書に元の利用条件に基づいた利用条件を付与することができる。
【０１２６】
（実施形態６）
本発明の実施形態６について図２０及び図２１を参照しながら説明する。実施形態６では以下の処理を実現する。
・ライセンス情報を入れ子にして構成する処理。
本実施形態では、部分コンテンツを組み合わせて作成した集合コンテンツを、さらに複数組み合わせた集合コンテンツの利用制限方法について、実施形態１のコンテンツＣ１２と、実施形態３のコンテンツＣ６７を部分コンテンツとしたコンテンツＣ１２６７を例に以下に説明する。尚、コンテンツＣ１２はライセンスＬ１２を、コンテンツＣ６７はライセンスＬ６７を保持しており、コンテンツＣ１２６７はライセンスＬ１２６７を保持している。
【０１２７】
図２０は、コンテンツＣ１２６７とコンテンツＣ１２６７に対応するライセンスＬ１２６７について説明するための図である。コンテンツＣ１２６７は、コンテンツＣ１２とコンテンツＣ６７とコンテンツ管理情報ＣＭ１２６７とから基本的に構成される。また、ライセンスＬ１２６７は、ライセンスＬ１２とライセンスＬ６７とライセンス管理情報ＬＭ１２６７とから基本的に構成される。尚、これらのコンテンツＣ１２６７及びライセンスＬ１２６７の生成処理はライセンス生成手段１１ｂにより実行される。
【０１２８】
図２１は、コンテンツ管理情報ＣＭ１２６７及びライセンス管理情報ＬＭ１２６７の詳細例を説明するための図である。コンテンツ管理情報ＣＭ１２６７は、部分コンテンツ指定形式、部分コンテンツ数、部分コンテンツの識別情報（本実施形態では、コンテンツＣ１２の識別情報、コンテンツＣ６７の識別情報）から構成される。
【０１２９】
本実施形態では、部分コンテンツは時間方向に追加されているので、部分コンテンツ指定形式には「時間」が記録されている。また、部分コンテンツ数は２（コンテンツＣ１２、コンテンツＣ６７）が記録されている。また、コンテンツＣ１２６７上で、どこが１番目の部分コンテンツなのかが、コンテンツＣ１２の識別情報として記録されている。ここでは、コンテンツＣ１２６７中の「先頭０分から先頭６０分まで」を表す情報が記録されている。また、どこが２番目の部分コンテンツなのかが、コンテンツＣ６７の識別情報として記録されている。ここでは、コンテンツＣ１２６７中の「先頭６０分から先頭９０分まで」を表す情報が記録されている。
【０１３０】
同様に、ライセンス管理情報ＬＭ１２６７は、部分コンテンツ指定形式、ライセンス数、部分コンテンツのライセンス情報（本実施形態では、コンテンツＣ１２のライセンスＬ１２、コンテンツＣ６７のライセンスＬ６７）から構成される。ライセンスＬ１２、ライセンスＬ６７はライセンス情報の実体又はライセンス情報へのリンクが記録されている。本実施形態ではライセンス情報の実体が記録されているものとする。
コンテンツを利用する際には、上記管理情報を取得して、最終的にどの部分コンテンツを利用しているか判定する必要があるが、その利用制御方法は、図７に示した実施形態１における処理と同様であるので、ここでの説明は省略する。
【０１３１】
本実施形態においても、コンテンツは実施形態１において説明したように、部分コンテンツ全体の実体、部分コンテンツ全体へのリンク、部分コンテンツの部分の実体、部分コンテンツの部分へのリンクのいずれであっても良い。このようにすることで、部分コンテンツを組み合わせて作成した集合コンテンツを、さらに複数組み合わせた集合コンテンツの利用を適切に制御することができる。なお、部分コンテンツを組み合わせて作成した集合コンテンツを、さらに複数組み合わせて集合コンテンツとライセンスを生成する処理は、ライセンスで禁止されていない限り、任意の回数行ってよい。
【０１３２】
（実施形態７）
本発明の実施形態７について図２２乃至図２５を参照しながら説明する。実施形態７では、部分コンテンツを組み合わせて作成した集合コンテンツを、さらに複数組み合わせた集合コンテンツの利用制御方法の別の実施形態について説明する。
図２２は、コンテンツＣ６７とコンテンツＣ８９を多重化したコンテンツＣ６７８９について説明するための図である。コンテンツＣ６７８９は、実施形態３におけるコンテンツＣ６７（コンテンツＣ６とコンテンツＣ７は実体でなく、リンクで参照）、及びコンテンツＣ８９、コンテンツ管理情報ＣＭ６７８９から基本的に構成される。尚、コンテンツＣ８９は、コンテンツＣ６７が、コンテンツＣ６、コンテンツＣ７、コンテンツ管理情報ＣＭ６７から構成されるのと同様に、コンテンツＣ８、コンテンツＣ９、コンテンツ管理情報ＣＭ８９から構成される。コンテンツＣ８、コンテンツＣ９のライセンス情報は、コンテンツＣ６、コンテンツＣ７のものと同様の構成になっている。
【０１３３】
また、図示していないが、ライセンスＬ６７８９はライセンスＬ６７、ライセンスＬ８９、ライセンス管理情報ＬＭ６７８９から基本的に構成される。また、ライセンスＬ８９は、ライセンスＬ６７と同様に、ライセンスＬ８、ライセンスＬ９、ライセンス管理情報ＬＭ８９から構成されている。尚、これらのコンテンツＣ６７８９及びライセンスＬ６７８９の生成処理はライセンス生成手段１１ｂにより実行される。
【０１３４】
図２３は、コンテンツ管理情報ＣＭ６７８９及びライセンス管理情報ＬＭ６７８９の詳細例を説明するための図である。コンテンツ管理情報ＣＭ６７８９は、部分コンテンツ指定形式、部分コンテンツ数、部分コンテンツの識別情報（本実施形態では、コンテンツＣ６７の識別情報、コンテンツＣ８９の識別情報）から構成される。
【０１３５】
本実施形態では、部分コンテンツは多重化されているので、コンテンツ管理情報ＣＭ６７８９の部分コンテンツ指定形式には「ＰＩＤ」が記録されている。また、部分コンテンツ数は２（コンテンツＣ６７、コンテンツＣ８９）、部分コンテンツのＩＤ＿Ｃ６７、ＩＤ＿Ｃ８９が記録されている。
【０１３６】
そして、部分コンテンツ毎に、部分コンテンツ識別情報と参照するライセンスが記録されている。本実施形態では、部分コンテンツＣ６７（コンテンツＩＤ＿Ｃ６７）に対しては、コンテンツＣ６７のＰＩＤを識別する情報ＰＩＤ＿Ｃ６７が記録されている。同様に、部分コンテンツＣ８９（コンテンツＩＤ＿Ｃ８９）に対してはコンテンツＣ８９のＰＩＤを識別する情報ＰＩＤ＿Ｃ８９が記録されている。ここで、ＰＩＤ＿Ｃ６７とＰＩＤ＿Ｃ８９は単一のＰＩＤを指定しているのではなく、コンテンツＣ６７，コンテンツＣ８９それぞれのコンテンツに含まれる各部分コンテンツを構成する複数のＰＩＤを指定可能である。
【０１３７】
ライセンスＬ６７８９に含まれるライセンス管理情報ＬＭ６７８９について以下に説明する。
本実施形態では、ライセンスＬ６７８９はコンテンツＣ６７８９のライセンス情報を保持しているが、コンテンツＣ６７８９が部分コンテンツからどのように作成されているかは無関係である。従って、ライセンス管理情報ＬＭ６７８９には、部分コンテンツ指定形式は含まれていない。ライセンス管理情報ＬＭ６７８９は、ライセンス数（本実施形態においては２つ）、コンテンツ管理情報ＣＭ６７８９から参照されるライセンスＩＤ（本実施形態においては、ＩＤ＿Ｌ６７、ＩＤ＿Ｌ８９）、ライセンスＩＤ毎のライセンス情報（実施形態１に示したように実体であっても、リンクであっても良い）から基本的に構成される。なお、本実施形態のように、各ライセンス情報がどの部分コンテンツのためのライセンス情報なのか、ライセンスＩＤ毎に参照元のコンテンツＩＤを記録しておいても良い。
以上のように構成することで、部分コンテンツを組み合わせて作成した集合コンテンツを、さらに多重化して組み合わせた集合コンテンツの利用を適切に制御することができる。
【０１３８】
尚、コンテンツＣ６７８９は、コンテンツ管理情報をＣＭ６７、ＣＭ８９、ＣＭ６７８９の３個保持しているが、コンテンツ管理情報ＣＭ６７とＣＭ８９を、１つのコンテンツ管理情報ＣＭ６７８９に統合するような構成も可能である。
図２４は、コンテンツ管理情報ＣＭ６７とＣＭ８９を、１つのコンテンツ管理情報ＣＭ６７８９に統合した場合の他の実施形態について説明するための図である。この場合のコンテンツＣ６７８９′は、コンテンツＣ６、コンテンツＣ７、コンテンツＣ８、コンテンツＣ９、及びコンテンツ管理情報ＣＭ６７８９′から構成され、各部分コンテンツの管理情報（ＣＭ６，ＣＭ７，ＣＭ８，ＣＭ９）はコンテンツ管理情報ＣＭ６７８９′に統合される。本実施形態では、コンテンツは実体ではなく、リンクで参照している。
【０１３９】
また、ライセンスＬ６７８９′（図示せず）は、ライセンスＬ６、ライセンスＬ７、ライセンスＬ８、ライセンスＬ９、及びライセンス管理情報ＬＭ６７８９′から構成される。
図２５は、コンテンツ管理情報ＣＭ６７８９′及びライセンス管理情報ＬＭ６７８９′の詳細例について説明するための図である。コンテンツ管理情報ＣＭ６７８９′は、部分コンテンツ指定形式、部分コンテンツ数、部分コンテンツの識別情報（本実施形態では、コンテンツＣ６の識別情報、コンテンツＣ７の識別情報、コンテンツＣ８の識別情報、コンテンツＣ９の識別情報）等から構成される。本実施形態では、部分コンテンツは多重化されているので、コンテンツ管理情報ＣＭ６７８９′の部分コンテンツ指定形式には「ＰＩＤ」が記録されている。また、部分コンテンツ数には４（コンテンツＣ６、コンテンツＣ７、コンテンツＣ８、コンテンツＣ９）、部分コンテンツのＩＤにはＩＤ＿Ｃ６、ＩＤ＿Ｃ７、ＩＤ＿Ｃ８、ＩＤ＿Ｃ９が記録されている。そして、部分コンテンツ毎に、部分コンテンツ識別情報と参照するライセンス情報が記録されている。本実施形態では、部分コンテンツＣ６（コンテンツＩＤ＿Ｃ６）に対してはコンテンツＣ６のＰＩＤを識別する情報ＰＩＤ＿Ｃ６が記録されている。同様に、部分コンテンツＣ７（コンテンツＩＤ＿Ｃ７）に対してはコンテンツＣ７のＰＩＤを識別する情報ＰＩＤ＿Ｃ７が、部分コンテンツＣ８（コンテンツＩＤ＿Ｃ８）に対してはコンテンツＣ８のＰＩＤを識別する情報ＰＩＤ＿Ｃ８が、部分コンテンツＣ９（コンテンツＩＤ＿Ｃ９）に対してはコンテンツＣ９のＰＩＤを識別する情報ＰＩＤ＿Ｃ９が記録される。
【０１４０】
次に、ライセンスＬ６７８９′に含まれるライセンス管理情報ＬＭ６７８９′について以下に説明する。
本実施形態では、ライセンスＬ６７８９′はコンテンツＣ６７８９′のライセンス情報を保持しているが、コンテンツＣ６７８９′が部分コンテンツからどのように作成されているかは無関係である。したがって、ライセンス管理情報ＬＭ６７８９′には、部分コンテンツ指定形式は含まれていない。ライセンス管理情報ＬＭ６７８９′は、ライセンス数（本実施形態では４つ）、コンテンツ管理情報ＣＭ６７８９′から参照されるライセンスＩＤ（本実施形態では、ＩＤ＿Ｌ６、ＩＤ＿Ｌ７、ＩＤ＿Ｌ８、ＩＤ＿Ｌ９）、ライセンスＩＤ毎のライセンス（実施形態１に示したように実体であっても、リンクであっても良い）から基本的に構成される。なお、本実施形態のように、各ライセンスがどの部分コンテンツのためのライセンスなのか、ライセンスＩＤごとに参照元のコンテンツＩＤを記録しておいても良い。
【０１４１】
以上のように構成することで、部分コンテンツを組み合わせて作成した集合コンテンツを、さらに複数組み合わせた集合コンテンツの利用を適切に制御することができる。
【０１４２】
以上説明したコンテンツとライセンス情報は、それぞれ独立して記録媒体に記録可能である。この時、ライセンスはセキュアな記録領域に記録するのが好ましい。
また、本発明のコンテンツ利用制御装置において、コンテンツとしてＢＳ／ＣＳ／地上波デジタル放送のストリームを用いる場合、デジタル放送からコンテンツを記録する際に、ストリームに含まれる制御情報からライセンス情報を作成することができる。尚、ストリームから制御情報を取得する方法に関しては、一般的なデジタル放送受信機と同様の機能を備えることで実現することができる。この制御情報には、例えば、コピー制限情報や年齢視聴制限情報などの利用条件が含まれており、本発明のコンテンツ利用制御装置は、ストリーム中に含まれる制御情報から利用条件を抽出し、その利用条件に基づいてライセンス情報を生成することができる。また、本発明のコンテンツ利用制御装置は、ライセンス情報と同時にコンテンツも記録することができ、この場合、一般的な、ＨＤＤ内蔵型デジタル放送受信機と同様の機能を備えることで実現することができる。
本発明のコンテンツ利用制御装置及び該コンテンツ利用制御装置を用いた方法によれば、記録媒体等に記録された集合コンテンツを構成する各部分コンテンツを、その各部分コンテンツに割り当てられたライセンス情報に基づいて適切に利用制御することが可能となるため、不正利用を防止することができる。
【図１】
0004489022.tif 000002
【図２】
0004489022.tif 000003
【図３】
0004489022.tif 000004
【図４】
0004489022.tif 000005
【図５】
0004489022.tif 000006
【図６】
0004489022.tif 000007
【図７】
0004489022.tif 000008
【図８】
0004489022.tif 000009
【図９】
0004489022.tif 000010
【図１０】
0004489022.tif 000011
【図１１】
0004489022.tif 000012
【図１２】
0004489022.tif 000013
【図１３】
0004489022.tif 000014
【図１４】
0004489022.tif 000015
【図１５】
0004489022.tif 000016
【図１６】
0004489022.tif 000017
【図１７】
0004489022.tif 000018
【図１８】
0004489022.tif 000019
【図１９】
0004489022.tif 000020
【図２０】
0004489022.tif 000021
【図２１】
0004489022.tif 000022
【図２２】
0004489022.tif 000023
【図２３】
0004489022.tif 000024
【図２４】
0004489022.tif 000025
【図２５】
0004489022.tif 000026
【図２６】
0004489022.tif 000027